(57)【要約】【課題】本発明は、３つのコイル間でバランスよく磁気結合させることができるコモンモードノイズフィルタを提供することを目的とするものである。【解決手段】本発明のモンモードノイズフィルタは、第１の絶縁体層１１に第１のコイル１５を構成する第１のコイル導体１５ａ、第２の絶縁体層１２に第２のコイル１６を構成する第２のコイル導体１６ａ、第３の絶縁体層１３に第３のコイル１７を構成する第３のコイル導体１７ａ、第４の絶縁体層１４に第１のコイル１５を構成する第４のコイル導体１５ｂを形成し、第１のコイル導体１５ａと第４のコイル導体１５ｂとを接続し、さらに、第１のコイル導体１５ａと第２のコイル導体１６ａ、第２のコイル導体１６ａと第３のコイル導体１７ａ、第３のコイル導体１７ａと第４のコイル導体１５ｂとをそれぞれ上面視で重なるようにしたものである。【選択図】図４
2017092434.tif 000002
【特許請求の範囲】
【請求項１】
上から順に積層された第１〜第４の絶縁体層と、互いに独立する第１〜第３のコイルとを備え、前記第１の絶縁体層に前記第１のコイルを構成する第１のコイル導体、前記第２の絶縁体層に前記第２のコイルを構成する第２のコイル導体、前記第３の絶縁体層に前記第３のコイルを構成する第３のコイル導体、前記第４の絶縁体層に前記第１のコイルを構成する第４のコイル導体を形成し、前記第１のコイル導体と前記第４のコイル導体とを接続し、さらに、前記第１のコイル導体と前記第２のコイル導体、前記第２のコイル導体と前記第３のコイル導体、前記第３のコイル導体と前記第４のコイル導体とをそれぞれ上面視で重なるようにしたコモンモードノイズフィルタ。
【請求項２】
前記第１のコイル導体と前記第４のコイル導体とを並列に接続した請求項１に記載のコモンモードノイズフィルタ。
【請求項３】
前記第２の絶縁体層に２つの前記第２のコイル導体を、前記第３の絶縁体層に２つの前記第３のコイル導体を形成し、さらに、前記第１のコイル導体と前記第２のコイル導体の一方とを上面視で重なるようにし、前記第２のコイル導体の他方と前記第３のコイル導体の一方とを上面視で重なるようにし、前記第３のコイル導体の他方と前記第４のコイル導体とをそれぞれ少なくとも一部が上面視で重なるようにした請求項１記載のコモンモードノイズフィルタ。
【請求項４】
前記第１のコイルを構成する前記第１のコイル導体、前記第４のコイル導体を並列に接続し、前記第２のコイルを構成する前記第２のコイル導体を並列に接続し、前記第３のコイルを構成する前記第３のコイル導体を並列に接続した請求項３に記載のコモンモードノイズフィルタ。
【請求項５】
請求項２に記載のコモンモードノイズフィルタを積層方向に複数形成し、前記第１のコイルを構成する前記第１、第４のコイル導体同士、前記第２のコイルを構成する前記第２のコイル導体同士、前記第３のコイルを構成する前記第３のコイル導体同士を接続したコモンモードノイズフィルタ。
【請求項６】
積層方向において前記第２のコイルを構成する前記第２のコイル導体で、前記第３のコイルを構成する前記第３のコイル導体を挟んだ構成とした請求項５に記載のコモンモードノイズフィルタ。
【請求項７】
前記第１のコイル導体の上方に前記第２のコイル導体と並列接続された他のコイル導体を設け、前記第１のコイル導体と前記第４のコイル導体とを並列接続し、前記第１の絶縁体層、前記第４の絶縁体層、前記第１のコイル導体および他のコイル導体よりも上方の絶縁体層を磁性材料で構成した請求項１に記載のコモンモードノイズフィルタ。
【請求項８】
前記他のコイル導体を、前記第１のコイル導体より下方に設けた請求項７に記載のコモンモードノイズフィルタ。
【請求項９】
前記第１のコイルを構成する前記第１、第４のコイル導体を並列に接続し、前記第２のコイルを構成する前記第２のコイル導体を２つ形成して互いに並列に接続し、前記第３のコイルを構成する前記第３のコイル導体を２つ形成して互いに並列に接続し、前記２つの第２のコイル導体を積層方向に配置し、前記２つの第３のコイル導体を積層方向に配置し、前記２つの第２のコイル導体間に位置する絶縁体層、前記２つの第３のコイル導体間に位置する絶縁体層、前記第１のコイル導体の上方の絶縁体層、第４のコイル導体の下方の絶縁体層を磁性材料で構成した請求項１に記載のコモンモードノイズフィルタ。
【請求項１０】
前記磁性材料で構成された絶縁体層に直接、前記第１、第４のコイル導体、前記第２つの２のコイル導体、前記２つの第３のコイル導体を接触させないようにした請求項９に記載のコモンモードノイズフィルタ。
【請求項１１】
前記磁性材料で構成された絶縁体層に挟まれた２つのコイル導体の配置は、積層方向で対称になるようにした請求項９に記載のコモンモードノイズフィルタ。
【発明の詳細な説明】
【技術分野】
【０００１】
本発明は、デジタル機器やＡＶ機器、情報通信端末等の各種電子機器に使用される小形で薄型のコモンモードノイズフィルタに関するものである。
【背景技術】
【０００２】
従来、モバイル機器においてメインＩＣとディスプレイやカメラを接続するデジタルデータ伝送規格としてｍｉｐｉ（Ｍｏｂｉｌｅ  Ｉｎｄｕｓｔｒｙ  Ｐｒｏｃｅｓｓｏｒ  Ｉｎｔｅｒｆａｃｅ）Ｄ−ＰＨＹ規格が採用されており、２本の伝送ラインを用いた差動信号で伝送する方式が用いられている。近年、カメラの解像度が飛躍的に高まり、更に高速な伝送方式として、３本の伝送ラインを用いて、送信側から各伝送ラインに異なる電圧を送り、受信側で各ライン間の差分をとることで差動出力をする方式がｍｉｐｉＣ−ＰＨＹ規格として制定され実用化されている。
【０００３】
従来のこの種のコモンモードノイズフィルタは、図１４に示すように、複数の絶縁体層１と、３つの独立した第１〜第３のコイル２〜４を有し、第１〜第３のコイル２〜４はそれぞれ、コイル導体２ａ、２ｂ、コイル導体３ａ、３ｂ、コイル導体４ａ、４ｂ同士をそれぞれ電気的に接続することによって形成され、かつこの３つの第１〜第３のコイル２〜４を下から順に積層方向に配置していた。このような構成において、コモンモードノイズが入力された場合には、第１〜第３のコイル２〜４が強めあいインダクタンスとして動作することによってノイズを抑制していた。
【０００４】
なお、この出願の発明に関連する先行技術文献としては、例えば、特許文献１が知られている。
【先行技術文献】
【特許文献】
【０００５】
【特許文献１】特開２００３−７７７２７号公報
【発明の概要】
【発明が解決しようとする課題】
【０００６】
上記した従来のコモンモードノイズフィルタにおいては、第１のコイル２と第３のコイル４との間に第２のコイル３を配置しているため、第１のコイル２と第３のコイル４との距離が遠く、これにより、第１のコイル２と第３のコイル４はほとんど磁気結合しなかった。
【０００７】
このようなフィルタを、前述の３線式の差動信号線路に適用し差動データ信号を伝送すると、磁気結合ができていない第１のコイル２と第３のコイル４ではおのおのに発生する磁束がキャンセルせず、磁気結合ができていない成分で大きな残留インダクタンスを発生させるため、差動データ信号には損失が発生し、差動信号品質が大きく劣化してしまう。
【０００８】
これに対し、図１５に示すように、第１のコイル２を構成するコイル導体２ａ、第２のコイル３を構成するコイル導体３ａ、第３のコイル４を構成するコイル導体４ａ、第１のコイル２を構成するコイル導体２ｂ、第２のコイル３を構成するコイル導体３ｂ、第３のコイル４を構成するコイル導体４ｂの順に積層して、第１のコイル２と第２のコイル３とが隣り合う箇所を２箇所とし、第２のコイル３と第３のコイル４とが隣り合う箇所を２箇所として、磁気結合を高めるようにすることが考えられる。
【０００９】
しかし、この場合、第１のコイル２と第３のコイル４とは、第２のコイル３を挟んだ状態であり、更に距離も離れているため、他と比べて磁気結合が小さく、各コイル間の磁気結合はバランスが悪くなるという課題を有する。
【００１０】
このようなコモンモードノイズフィルタに、差動信号が入力された場合、第２のコイル３は、近接する第１のコイル２と第３のコイル４と良好な磁気結合をしているため、差動信号の劣化が少ない。しかし、本構成においても、コイル導体２ｂとコイル導体４ｂとの距離、及びコイル導体４ａとコイル導体２ａとの距離が離れてしまい磁気結合が弱いため、同様に第１のコイル２と第３のコイル４を流れる差動信号が劣化してしまうという課題が生じてしまう。
【００１１】
本発明は上記従来の課題を解決するもので、３つのコイル間でバランスよく磁気結合させることができ、さらに、差動信号を劣化させないコモンモードノイズフィルタを提供することを目的とするものである。
【課題を解決するための手段】
【００１２】
上記目的を解決するために本発明は、上から順に積層された第１〜第４の絶縁体層と、互いに独立する第１〜第３のコイルとを備え、前記第１の絶縁体層に前記第１のコイルを構成する第１のコイル導体、前記第２の絶縁体層に前記第２のコイルを構成する第２のコイル導体、前記第３の絶縁体層に前記第３のコイルを構成する第３のコイル導体、前記第４の絶縁体層に前記第１のコイルを構成する第４のコイル導体を形成し、前記第１のコイル導体と前記第４のコイル導体とを接続し、さらに、前記第１のコイル導体と前記第２のコイル導体、前記第２のコイル導体と前記第３のコイル導体、前記第３のコイル導体と前記第４のコイル導体とをそれぞれ上面視で重なるようにした構成としている。
【発明の効果】
【００１３】
本発明のコモンモードノイズフィルタは、第１のコイルを構成する第１のコイル導体と第２のコイルを構成する第２のコイル導体、第２のコイルを構成する第２のコイル導体と第３のコイルを構成する第３のコイル導体、第３のコイルを構成する第３のコイル導体と第１のコイルを構成する第４のコイル導体がそれぞれ上面視にて重なり、第１のコイルと第２のコイル、第２のコイルと第３のコイル、第３のコイルと第１のコイルをそれぞれお互いに同じように磁気結合させることができるという効果を奏するものである。
【図面の簡単な説明】
【００１４】
【図１】本発明の実施の形態１におけるコモンモードノイズフィルタの主要部の上面図
【図２】本発明の実施の形態２におけるコモンモードノイズフィルタの主要の上面図
【図３】同コモンモードノイズフィルタの回路構成図
【図４】本発明の実施の形態３におけるコモンモードノイズフィルタの分解斜視図
【図５】同コモンモードノイズフィルタの回路構成図
【図６】本発明の実施の形態４におけるコモンモードノイズフィルタの分解斜視図
【図７】同コモンモードノイズフィルタの回路構成図
【図８】同コモンモードノイズフィルタの他の例の分解斜視図
【図９】本発明の実施の形態５におけるコモンモードノイズフィルタの分解斜視図
【図１０】同コモンモードノイズフィルタの回路構成図
【図１１】同コモンモードノイズフィルタの他の例の回路構成図
【図１２】本発明の実施の形態６におけるコモンモードノイズフィルタの分解斜視図
【図１３】同コモンモードノイズフィルタの他の例を示す分解斜視図
【図１４】従来のコモンモードノイズフィルタの分解斜視図
【図１５】同コモンモードノイズフィルタの他の例を示す分解斜視図
【発明を実施するための形態】
【００１５】
（実施の形態１）
図１は本発明の実施の形態１におけるコモンモードノイズフィルタの主要部の上面図である。
【００１６】
本発明の実施の形態１におけるコモンモードノイズフィルタは、図１に示すように、上から順に積層された第１の絶縁体層１１、第２の絶縁体層１２、第３の絶縁体層１３、第４の絶縁体層１４と、前記第１の絶縁体層１１に形成された渦巻状の第１のコイル導体１５ａと、前記第２の絶縁体層１２に形成された２つの渦巻状の第２のコイル導体１６ａ、１６ｂと、前記第３の絶縁体層１３に形成された２つの渦巻状の第３のコイル導体１７ａ、１７ｂと、前記第４の絶縁体層１４に形成された渦巻状の第４のコイル導体１５ｂとを備え、第１のコイル導体１５ａと第４のコイル導体１５ｂ、２つの第２のコイル導体１６ａ、１６ｂ同士、２つの第３のコイル導体１７ａ、１７ｂ同士とをそれぞれ電気的に接続することによって互いに独立する第１のコイル１５、第２のコイル１６、第３のコイル１７を形成している。
【００１７】
なお、図１では、コイル導体が形成された各絶縁体層１１〜１４をそれぞれ上面から見た図を示している。図２においても同様としている。
【００１８】
上記構成において、前記第１〜第４の絶縁体層１１〜１４は、その厚みが略同一で、シート状に構成されたＣｕ−Ｚｎフェライト、ガラスセラミック等の非磁性材料またはＮｉ−Ｃｕ−Ｚｎフェライト等の磁性材料で構成されている。そして、第１の絶縁体層１１の下方に第２の絶縁体層１２、第２の絶縁体層１２の下方に第３の絶縁体層１３、第３の絶縁体層１３の下方に第４の絶縁体層１４を位置させ、第１〜第４の絶縁体層１１〜１４を積層している。
【００１９】
また、前記第１のコイル導体１５ａは、第１の絶縁体層１１に１個形成され、２つの前記第２のコイル導体１６ａ、１６ｂは、第２の絶縁体層１２にそれぞれ１個形成され、２つの前記第３のコイル導体１７ａ、１７ｂは、第３の絶縁体層１３にそれぞれ１個形成され、前記第４のコイル導体１５ｂは、第４の絶縁体層１４に１個形成されている。さらに、この第１〜第４の絶縁体層１１〜１４に銀等の導電材料を、１ターン以上または１ターン未満の渦巻状にめっきまたは印刷することにより、第１〜第４のコイル導体１５ａ、１５ｂ、１６ａ、１６ｂ、１７ａ、１７ｂが構成されている。
【００２０】
そして、第１の絶縁体層１１に形成された第１のコイル導体１５ａと、第２の絶縁体層１２に形成された２つの第２のコイル導体１６ａ、１６ｂのうち一方の第２のコイル導体１６ａとが上面視で重なっており、互いに磁気結合する。同様に、第２の絶縁体層１２に形成された２つの第２のコイル導体１６ａ、１６ｂのうち他方の第２のコイル導体１６ｂと、第３の絶縁体層１３に形成された２つの第３のコイル導体１７ａ、１７ｂのうち一方の第３のコイル導体１７ａとが上面視で重なっており、互いに磁気結合し、さらに、第３の絶縁体層１３に形成された２つの第３のコイル導体１７ａ、１７ｂのうち他方の第３のコイル導体１７ｂと、第４の絶縁体層１４に形成された第４のコイル導体１５ｂとが上面視で重なっており、互いに磁気結合する。
【００２１】
そしてまた、第１のコイル１５は第１のコイル導体１５ａと第４のコイル導体１５ｂとで構成され、第２のコイル１６は同一絶縁体層１２に形成された第２のコイル導体１６ａ、１６ｂ同士で構成され、第３のコイル１７は同一絶縁体層１３に形成された第３のコイル導体１７ａ、１７ｂ同士で構成されている。
【００２２】
さらに、第１のコイル１５を構成する第１のコイル導体１５ａと第４のコイル導体１５ｂは、第１〜第４の絶縁体層１１〜１４に形成されたビア電極１９ａと、第４の絶縁体層１４の下方に位置する第５の絶縁体層１８に形成された引回用導体１５ｃを介して電気的に接続される。
【００２３】
また、第２のコイル１６を構成する第２のコイル導体１６ａ、１６ｂ同士は、第２〜第４の絶縁体層１２〜１４に形成されたビア電極１９ｂと、第５の絶縁体層１８に形成された引回用導体１６ｃを介して電気的に接続される。
【００２４】
そしてまた、第３のコイル１７を構成する第３のコイル導体１７ａ、１７ｂ同士は、第３、第４の絶縁体層１３、１４に形成されたビア電極１９ｃと、第５の絶縁体層１８に形成された引回用導体１７ｃを介して電気的に接続される。
【００２５】
このような構成によって、３つの独立した第１のコイル１５、第２のコイル１６、第３のコイル１７が設けられ、第１のコイル１５と第２のコイル１６、第２のコイル１６と第３のコイル１７、第３のコイル１７と第１のコイル１５がそれぞれ１箇所で互いに磁気結合する。
【００２６】
このとき、引回用導体１５ｃ、１６ｃ、１７ｃはそれぞれ第１〜第３のコイル１５、１６、１７の一部を構成する。
【００２７】
なお、必要に応じて他の絶縁体層を第１〜第５の絶縁体層１１〜１４、１８の上面、下面に積層し、これらの構成により、積層体（図示せず）が形成される。また、この積層体の両端面には、第１〜第４のコイル導体１５ａ、１５ｂ、１６ａ、１６ｂ、１７ａ、１７ｃの端部と接続する６つの外部電極（以下、図示せず）が設けられる。
【００２８】
そして、他の絶縁体層、第１〜第５の絶縁体層１１〜１４、１８は、すべて非磁性材料で構成してもよいし、磁性材料で構成してもよいし、これらの組合せであってもよい。
【００２９】
上記したように本発明の実施の形態１におけるコモンモードノイズフィルタにおいては、第１のコイル１５を構成する第１のコイル導体１５ａと第２のコイル１６を構成する一方の第２のコイル導体１６ａ、第２のコイル１６を構成する他方の第２のコイル導体１６ｂと第３のコイル１７を構成する一方の第３のコイル導体１７ａ、第３のコイル１７を構成する他方の第３のコイル導体１７ｂと第１のコイル１５を構成する第４のコイル導体１５ｂがそれぞれ１箇所で上面視にて重なることになるため、３つのコイル間でそれぞれお互いに同じように磁気結合させることができるという効果が得られるものである。
【００３０】
そして、第２の絶縁体層１２の同一平面には第２のコイル１６を構成する２つの第２のコイル導体１６ａ、１６ｂのみを設け、第３の絶縁体層１３の同一平面には第３のコイル１７を構成する２つの第３のコイル導体１７ａ、１７ｂのみを設けているため、横方向の磁気結合は生じない。
【００３１】
また、第１のコイル１５、第２のコイル１６、第３のコイル１７は、すべて２つのコイル導体で構成されているため、３つのコイル１５、１６、１７の長さを略同一にすることができる。
【００３２】
このとき、引回用導体１５ｄ、１６ｄ、１７ｄの長さを調整することによって、３つのコイル１５、１６、１７の長さを同一に近づけることができる。
【００３３】
さらに、３つのコイル１５、１６、１７について他のコイルと上面視で重なるのは、その一部となっているため、浮遊容量を低減できる。
【００３４】
（実施の形態２）
図２は本発明の実施の形態２におけるコモンモードノイズフィルタの主要部の上面図、図３は同コモンモードノイズフィルタの回路構成図である。なお、この本発明の実施の形態２においては、上記した本発明の実施の形態１と同様の構成を有するものについては、同一符号を付しており、その説明は省略する。
【００３５】
本発明の実施の形態２が上記した本発明の実施の形態１と相違する点は、図２、図３に示すように、第１のコイル１５、第２のコイル１６、第３のコイル１７をそれぞれ構成する２つのコイル導体を、直列ではなく並列に配線した点である。
【００３６】
このような構成において、第１のコイル１５を構成する一方の第１のコイル導体１５ａと第２のコイル１６を構成する一方の第２のコイル導体１６ａ、第２のコイル１６を構成する他方の第２のコイル導体１６ｂと第３のコイル１７を構成する一方の第３のコイル導体１７ａ、第３のコイル１７を構成する他方の第３のコイル導体１７ｂと第１のコイル１５を構成する他方の第４のコイル導体１５ｂがそれぞれ上面視にて重なることになるため、３つのコイル間でバランスよく磁気結合させることができる。
【００３７】
そして、このように構成されたコモンモードノイズフィルタを３線式の差動信号線路に適用した場合を考える。第１のコイル１５と第２のコイル１６を一対とする差動信号が入ってきた場合（外部電極２０ａ、２２ａから差動信号が入ってきた場合）、第１のコイル導体１５ａと第２のコイル導体１６ａは、磁気結合しており、発生する磁束がキャンセルされて低インピーダンスとなり差動信号が通過しやすくなる。一方、第１のコイル導体１５ａと並列接続された第４のコイル導体１５ｂは、対向し磁気結合している第３のコイル導体１７ｂには発生する磁束をキャンセルするような信号成分が流れていないため、第４のコイル導体１５ｂはインダクタとして動作し周波数とともに大きなインピーダンスをもつため信号が流れにくくなる。
【００３８】
また、第１のコイル１５と第３のコイル１７を１対とする差動信号が入ってきた場合（外部電極２０ａ、２１ａから差動信号が入ってきた場合）、第４のコイル導体１５ｂと第３のコイル導体１７ｂは、磁気結合しており、発生する磁束がキャンセルされて低インピーダンスとなり差動信号が通過しやすくなる。一方、第４のコイル導体１５ｂと並列接続された第１のコイル導体１５ａは、対向し磁気結合している第２のコイル導体１６ａには発生する磁束をキャンセルするような信号成分が流れていないため、第１のコイル導体１５ａはインダクタとして動作し、周波数とともに大きなインピーダンスをもつため信号が流れにくくなる。
【００３９】
すなわち、第１のコイル１５を構成する導体が第１のコイル導体１５ａと第４のコイル導体１５ｂは並列接続されていても、差動信号を形成するもうひとつの線路が、第２のコイル１６、第３のコイル１７のどちらになるかで、差動信号が流れる主要経路が第１のコイル導体１５ａになるか、第４のコイル導体１５ｂになるか決まることになり、差動信号の損失を抑えることができる。このような構成により、第１〜第３のコイル１５〜１７をそれぞれバランスよく磁気結合されることができるため、３線式の差動信号線路として用いる場合でも、差動信号の損失が少なく、信号品質を維持できる。
【００４０】
また、第１のコイル１５、第２のコイル１６、第３のコイル１７をそれぞれ構成する２つのコイル導体を並列に配線しているため、直流抵抗値（周波数ゼロの成分）についても下げることができ、信号の損失を防ぐことができる。
【００４１】
（実施の形態３）
図４は本発明の実施の形態３におけるコモンモードノイズフィルタの分解者斜視図である。また図５は、本発明の実施の形態３におけるコモンモードノイズフィルタの回路構成図を示す。
【００４２】
本発明の実施の形態３におけるコモンモードノイズフィルタは、図４に示すように、上から順に積層された第１の絶縁体層１１、第２の絶縁体層１２、第３の絶縁体層１３、第４の絶縁体層１４と、前記第１の絶縁体層１１上に形成された渦巻状の第１のコイル導体１５ａと、前記第２の絶縁体層１２上に形成された１つの渦巻状の第２のコイル導体１６ａと、前記第３の絶縁体層１３上に形成された１つの渦巻状の第３のコイル導体１７ａと、前記第４の絶縁体層１４上に形成された渦巻状の第４のコイル導体１５ｂとを備え、第２のコイル導体１６ａによって第２のコイル１６が構成され、第３のコイル導体１７ａによって第３のコイル１７が構成され、第１のコイル導体１５ａと第４のコイル導体１５ｂとをそれぞれ電気的に接続することによって第１のコイル１５が構成される。第１のコイル１５、第２のコイル１６、第３のコイル１７は互いに独立する。
【００４３】
上記構成において、前記第１〜第４の絶縁体層１１〜１４は、その厚みが略同一で、シート状に構成されたＣｕ−Ｚｎフェライト、ガラスセラミック等の非磁性材料またはＮｉ−Ｃｕ−Ｚｎフェライト等の磁性材料で構成されている。そして、第１の絶縁体層１１の下方に第２の絶縁体層１２、第２の絶縁体層１２の下方に第３の絶縁体層１３、第３の絶縁体層１３の下方に第４の絶縁体層１４を位置させ、第１〜第４の絶縁体層１１〜１４を積層している。
【００４４】
また、第１のコイル導体１５ａは、第１の絶縁体層１１に１個形成され、第２のコイル導体１６ａは、第２の絶縁体層１２に１個形成され、前記第３のコイル導体１７ａは、第３の絶縁体層１３に１個形成され、前記第４のコイル導体１５ｂは、第４の絶縁体層１４に１個形成されている。
【００４５】
すなわち、第１のコイル１５のみを、並列接続する第１のコイル導体１５ａと第４のコイル導体１５ｂに分割し、一方の第１のコイル導体１５ａを第２のコイル１６（第２のコイル導体１６ａ）の上方に、他方の第４のコイル導体１５ｂを第３のコイル１７（第３のコイル導体１７ａ）の下方に配置している。したがって、上から、第１のコイル１５（第１のコイル導体１５ａ）、第２のコイル１６（第２のコイル導体１６ａ）、第３のコイル１７（第３のコイル導体１７ａ）、第１のコイル１５（第４のコイル導体１５ｂ）の順に位置する。
【００４６】
そして、上下方向に隣接する第１のコイル導体１５ａと第２のコイル導体１６ａが上面視で重なり、磁気結合する。同様に、上下方向に隣接する第２のコイル導体１６ａと第３のコイル導体１７ａが上面視で重なり、磁気結合し、上下方向に隣接する第３のコイル導体１７ａと第４のコイル導体１５ｂが上面視で重なり、磁気結合する。
【００４７】
このような構成によって、３つの独立した第１のコイル１５、第２のコイル１６、第３のコイル１７が設けられ、第１のコイル１５と第２のコイル１６、第２のコイル１６と第３のコイル１７、第３のコイル１７と第１のコイル１５がそれぞれ対向して磁気結合する。
【００４８】
さらに、第１〜第４の絶縁体層１１〜１４に銀等の導電材料を、１ターン以上または１ターン未満の渦巻状にめっきまたは印刷することにより、第１〜第４のコイル導体１５ａ、１６ａ、１７ａ、１５ｂが構成される。
【００４９】
また、第４の絶縁体層１４の下面には、第１のコイル１５（第１のコイル導体１５ａ、第４のコイル導体１５ｂ）、第２のコイル１６（第２のコイル導体１６ａ）、第３のコイル１７（第３のコイル導体１７ａ）とそれぞれ接続される引出用（引回用）導体１５ｃ、１６ｃ、１７ｃが形成され、引出用導体１５ｃ、１６ｃ、１７ｃの下面には第５の絶縁体層１８が形成されている。
【００５０】
なお、第１〜第５の絶縁体層１１〜１４、１８は、すべて非磁性材料で構成してもよいし、磁性材料で構成してもよいし、これらの組合せであってもよい。
【００５１】
ここで、第２のコイル導体１６ａと引出用導体１６ｃとはビア電極１９ｂを介して接続され、第３のコイル導体１７ａと引出用導体１７ｃとはビア電極１９ｃを介して接続され、第１のコイル導体１５ａおよび第４のコイル導体１５ｂと引出用導体１５ｃとはビア電極１９ａを介して接続される。また、第１のコイル導体１５ａと第４のコイル導体１５ｂとの接続もビア電極１９ａを介して行われる。
【００５２】
なお、必要に応じて他の絶縁体層を第１〜第５の絶縁体層１１〜１４、１８の上面、下面に積層し、これらの構成により、積層体（図示せず）が形成される。また、この積層体の両端面には、第１〜第４のコイル導体１５ａ、１６ａ、１７ａ、１５ｂの一端部と、引出用導体１５ｃ、１６ｃ、１７ｃの一端部と接続する６つの外部電極（以下、図示せず）が設けられる。第１のコイル導体１５ａの一端部と第４のコイル導体１５ｂの一端部は同一の外部電極に接続されており、並列接続されている。
【００５３】
上記したように本発明の実施の形態３におけるコモンモードノイズフィルタが実施の形態２のコモンモードノイズフィルタと異なる点は、第１〜第３のコイル１５〜１７を上面視で重なるように積層し、第１のコイル１５を第１、第４のコイル導体１５ａ、１５ｂに並列接続し、この第１のコイル導体１５ａと第４のコイル導体１５ｂとの間に第２のコイル１６、第３のコイル１７を配置することによって、実施の形態２で示したように第２のコイル１６、第３のコイル１７をそれぞれ２つのコイル導体１６ａと１６ｂ、コイル導体１７ａと１７ｂに分けて並列接続させる必要がないことである。
【００５４】
すなわち、３線式の差動信号線路として動作する場合、上記の実施の形態２と同様に、第２のコイル１６は、第３のコイル１７と磁気結合し、第１のコイル１５の第１のコイル導体１５ａとも磁気結合をする。第３のコイル１７は、第２のコイル１６と磁気結合し、第１のコイル１５の第４のコイル導体１５ｂとも磁気結合するため、差動信号が入力された場合、低損失の差動伝送路と働き、差動信号を劣化させることがなくなる。
【００５５】
また、本実施の形態３においては、実施の形態２よりも積層数を減らすことができ、１層あたり１種類のコイルを配置することで小型化もできる。また、別の見方をすれば、実施の形態２と同じ面積であれば、コイルの巻数を多く巻くことができるため、コモンモードノイズが入力された場合には、大きなインダクタンスで高インピーダンスとなりコモンモードノイズを除去できるという効果を得ることができる。
【００５６】
なお、本実施の形態においては、コイル導体を４層としたが、このような４層のコイル導体のユニットを複数層積層方向に配置し縦続接続してフィルタを多段化してもよい。
【００５７】
（実施の形態４）
図６は本発明の実施の形態４におけるコモンモードノイズフィルタの分解斜視図である。なお、この本発明の実施の形態４においては、上記した本発明の実施の形態３と同様の構成を有するものについては、同一符号を付しており、その説明は省略する。
【００５８】
本発明の実施の形態４が上記した本発明の実施の形態３と相違する点は、図６に示すように、引出用導体１５ｃ、１６ｃ、１７ｃを形成せず、その形成箇所に、実施の形態３と同様の構成の第１のコイル１５、第２のコイル１６、第３のコイル１７を設けた点である。すなわち、実施の形態３の第１〜第４のコイル導体１５ａ、１６ａ、１７ａ、１５ｂからなる構成のものを、下方にも形成し積層している。
【００５９】
このとき、第１のコイル１５は第５のコイル導体１５ｄと第６のコイル導体１５ｅの並列構造であり、第５のコイル導体１５ｄと第６のコイル導体１５ｅの間に、第２のコイル１６を構成する第７のコイル導体１６ｄと、第３のコイル１７を構成する第８のコイル導体１７ｄが構成される。また、第５のコイル導体１５ｄと第４のコイル導体１５ｂとが隣接する。そして、第２のコイル１６を構成する第７のコイル導体１６ｄは、第３のコイル１７を構成する第８のコイル導体１７ｄより下方に位置する。
【００６０】
さらに、第５のコイル導体１５ｄおよび第６のコイル導体１５ｅは、ビア電極１９ａを介して第１のコイル導体１５ａおよび第４のコイル導体１５ｂと接続される。第７のコイル導体１６ｄはビア電極１９ｂを介して第２のコイル導体１６ａと接続され、第８のコイル導体１７ｄはビア電極１９ｃを介して第３のコイル導体１７ａと接続される。また、隣接する第５のコイル導体１５ｄと第４のコイル導体１５ｂとを、他のビア電極１９ｄを介して接続させている。
【００６１】
すなわち、実施の形態３のコモンモードノイズフィルタを、２つ積層した構成となり、図７に示すような回路構成図になる。
【００６２】
さらに、積層方向の中心部（第４のコイル導体１５ｂ、第５のコイル導体１５ｄとの間の絶縁体層１４）に対して、第１のコイル１５を構成する第１、第４、第５、第６のコイル導体１５ａ、１５ｂ、１５ｄ、１５ｅは線対称に位置し、第２のコイル１６を構成する第２、第７のコイル導体１６ａ、１６ｄも線対称に位置し、第３のコイル１７を構成する第３、第８のコイル導体１７ａ、１７ｄも線対称に位置する。すなわち、第２のコイル１６を構成する第２、第７のコイル導体１６ａ、１６ｄで、第３のコイル１７を構成する第３のコイル導体１７ａおよび第８のコイル導体１７ｄを挟み、第３のコイル１７を構成する第３、第８のコイル導体１７ａ、１７ｄで第１のコイル１５を構成し積層方向の中心部に位置する第４のコイル導体１５ｂおよび第５のコイル導体１５ｄを挟んだ構成となっている。
【００６３】
このような構成では、第４のコイル導体１５ｂと第５のコイル導体１５ｄが同電位のため、この２つのコイル導体１５ｂ、１５ｄ間での浮遊容量の発生が抑制され、第１のコイル１５を一線とする場合に通過する差動信号の劣化が起こりにくくなる。
【００６４】
さらに、３線式の差動信号線路として差動信号が第１のコイル１５と第３のコイル１７に入力された場合、差動信号の通過経路は、第３のコイル導体１７ａと第４のコイル導体１５ｂの線間、および第８のコイル導体１７ｄと第５のコイル導体１５ｄの線間となり、この通過経路では、各コイルに発生する磁束はキャンセルされるため、低インピーダンスとなり、第３のコイル導体１７ａと第４のコイル導体１５ｂの１対のペア導体と、第８のコイル導体１７ｄと第５のコイル導体１５ｄの１対のペア導体との間に電位差が生じにくく、また、このようなペア導体を考えた場合でも、ペア導体間に浮遊容量が発生しにくくなり、これにより、差動信号の劣化が抑制される。例えば、第７のコイル導体１６ｄと第８のコイル導体１７ｄが入れ替わった場合に、３線式の差動信号線路として差動信号が第１のコイル１５と第３のコイル１７に入力された場合、第５のコイル導体１５ｄと対面することになる第７のコイル導体１６ｄには磁束をキャンセルするような差動信号成分が流れないため、第５のコイル導体１５ｄと第７のコイル導体１６ｄはインピーダンスが高くなり周波数の増加とともに電位差が発生し、浮遊容量の発生が生じ、差動信号の劣化が発生してしまう。
【００６５】
本実施の形４においても、３線式の差動信号線路として動作する場合、上記の実施の形態２、３と同じ作用により、差動信号の損失が少なく、信号品質を維持できる。
【００６６】
なお、図８に示すように、並列接続される第１のコイル導体１５ａと第４のコイル導体１５ｂ、第５のコイル導体１５ｄと第６のコイル導体１５ｅを、それぞれビア電極１９ａを介して接続して、ビア電極の数を減らすようにしてもよい。
【００６７】
（実施の形態５）
図９は本発明の実施の形態５におけるコモンモードノイズフィルタの分解斜視図である。なお、この本発明の実施の形態５においては、上記した本発明の実施の形態３と同様の構成を有するものについては、同一符号を付しており、その説明は省略する。また図１０は、本発明の実施の形態５におけるコモンモードノイズフィルタの回路構成図を示す。
【００６８】
本発明の実施の形態５が上記した本発明の実施の形態３と相違する点は、図９に示すように、第１のコイル導体１５ａの上方に、第２のコイル導体１６ａと並列接続された他のコイル導体（第７のコイル導体１６ｄ）を設け、さらに、第１の絶縁体層１１、第４の絶縁体層１４、第１、第７のコイル導体１５ａ、１６ｄよりも上方の第７の絶縁体層２１を磁性材料で構成した点である。
【００６９】
すなわち、第１のコイル導体１５ａと第２のコイル導体１６ａとの間と、最上下層に、磁性材料で構成された絶縁体層が形成される。
【００７０】
このとき、第７のコイル導体１６ｄは非磁性材料で形成された第６の絶縁体層２０の上面に形成され、また、第１〜第４のコイル導体１５ａ、１５ｂ、１６ａ、１６ｄ、１７ａ、１７ｂ、引回用導体１５ｃ、１６ｃ、１７ｃが、それぞれ磁性材料で構成された第７の絶縁体層２１との間に他の非磁性体層２２が形成されている。また、第１〜第４の絶縁体層１１〜１４は非磁性材料で構成する。
【００７１】
この構成では、磁性体と第１のコイル１５（第１、第４のコイル導体１５ａ、１５ｂ）との距離、磁性体と第２のコイル１６（第２、第７のコイル導体１６ａ、１６ｄ）との距離が近くなり、磁性体と第３のコイル１７（第３のコイル導体１７ａ）との距離も比較的近いため、各コイルのインピーダンス値が近くなり、これにより、３線式の差動信号線路として差動信号が入力されたときに、第７のコイル導体１６ｄと第１のコイル導体１５ａが磁気結合して構成されるコモンモードフィルタ部と、第２のコイル導体１６ａと第３のコイル導体１７ａが磁気結合して構成されるコモンモードフィルタ部と、第３のコイル導体１７ａと第１のコイル導体１５ａが磁気結合して構成されるコモンモードフィルタ部が動作した場合に、差動信号によるコイルインダクタンスの差による磁気結合できない成分による損失を低減できるため、前記各コモンモードフィルタ部を通過する差動信号のばらつきが低減される。
【００７２】
さらに、図１１に示すように、第１のコイル導体１５ａと第７のコイル導体１６ｄの位置を入れ替えた場合、対向する、第２のコイル導体１６ａと第７のコイル導体１６ｄが同電位のため、この２つのコイル導体１６ａ、１６ｄ間での浮遊容量の発生が抑制され、第２のコイル１６を一線とする場合に通過する差動信号の劣化が起こりにくくなる。
【００７３】
（実施の形態６）
図１２は本発明の実施の形態６におけるコモンモードノイズフィルタの分解斜視図である。なお、この本発明の実施の形態６においては、上記した本発明の実施の形態２と同様の構成を有するものについては、同一符号を付しており、その説明は省略する。
【００７４】
本発明の実施の形態６が上記した本発明の実施の形態２と相違する点は、図１２に示すように、２つの第２のコイル導体１６ａ、１６ｂを積層方向に配置し、２つの第３のコイル導体１７ａ、１７ｂを積層方向に配置し、さらに、２つの第２のコイル導体１６ａ、１６ｂ間に位置する第７の絶縁体層２１、２つの第３のコイル導体１７ａ、１７ｂ間に位置する第７の絶縁体層２１、第１のコイル導体１５ａの上方の第７の絶縁体層２１、第４のコイル導体１５ｂの下方の第７の絶縁体層２１を磁性材料で構成した点である。
【００７５】
このとき、第１〜第４のコイル導体１５ａ、１５ｂ、１６ａ、１６ｄ、１７ａ、１７ｂ、引回用導体１５ｃ、１６ｃ、１７ｃが、それぞれ磁性材料で構成された第７の絶縁体層２１との間に他の非磁性体層２２が形成されている。また、第１〜第４の絶縁体層１１〜１４は非磁性材料で構成する。
【００７６】
そして、２つの第２のコイル導体１６ａ、１６ｂ同士、２つの第３のコイル導体１７ａ、１７ｂ同士、第１のコイル導体１５ａと第４のコイル導体１５ｂの接続を、外部電極（図示しない）を介して行っている。
【００７７】
なお、これらの接続をビア電極１９ａ、１９ｂ、１９ｃで行ってもよい。ビア電極１９ａ、１９ｂ、１９ｃが磁性体層２１を貫通するため、低周波領域で磁性体特性に起因するインピーダンスがビア電極１９ａ、１９ｂ、１９ｃに発生するため、低周波領域のノイズを減衰させることができる。
【００７８】
上述の構成では、第１のコイル導体１５ａと一方の第２のコイル導体１６ａと引回用導体１５ｃで構成されるコモンモードフィルタ部が磁性体層２１に挟まれ、他方の第２のコイル導体１６ｂと一方の第３のコイル導体１７ａと引回用導体１６ｃで構成されるコモンモードフィルタ部が磁性体層２１に挟まれ、他方の第３のコイル導体１７ｂと第４のコイル導体１５ｂと引回用導体１７ｃで構成されるコモンモードフィルタ部が磁性体２１に挟まれるため、前記各３つのコモンモードフィルタ部の特性が略等しくなり、これにより、各コイル間でのコモンモードノイズ除去特性、および３線式の差動信号線路として差動信号が入力されたときの各コモンモードフィルタ部を通過する際のそれぞれの差動信号の通過特性の間のばらつきが低減される。
【００７９】
さらに、図１３に示すように、引回用導体１５ｃを、第１のコイル導体１５ａと一方の第２のコイル導体１６ａの間に配置してコモンモードフィルタ部を形成し、引回用導体１６ｃを第２のコイル導体１６ｂと一方の第３のコイル導体１７ａの間に配置してコモンモードフィルタ部を形成し、引回用導体１７ｃを第３のコイル導体１７ｂと第４のコイル導体１５ｂの間に配置してコモンモードフィルタ部を形成することによって、前記３つのコモンモードフィルタ部が磁性体層２１に挟まれる構造になるともに、磁性体層２１に挟まれた各コモンモードフィルタ部は、積層方向に対称性をもつため、さらに各コイルのインピーダンスをより略等しくすることができ、これにより、各コイル間でのコモンモードノイズ除去特性、および３線式の差動信号線路として差動信号が前記３つの各コモンモードフィルタ間にそれぞれ入力されたときの各コモンモードフィルタを通過する際のそれぞれの差動信号の通過特性の間のばらつきをさらに低減させることができる。
【産業上の利用可能性】
【００８０】
本発明に係るコモンモードノイズフィルタは、３線式の差動信号線路において３つのコイル間でバランスよく磁気結合させることができるという効果を有するものであり、特にデジタル機器やＡＶ機器、情報通信端末等に使用される小形で薄型のコモンモードノイズフィルタ等において有用となるものである。
【符号の説明】
【００８１】
１１    第１の絶縁体層
１２    第２の絶縁体層
１３    第３の絶縁体層
１４    第４の絶縁体層
１５    第１のコイル
１５ａ    第１のコイル導体
１５ｂ    第４のコイル導体
１６    第２のコイル
１６ａ，１６ｂ    第２のコイル導体
１７    第３のコイル
１７ａ，１７ｂ    第３のコイル導体
【図１】
2017092434.tif 000003
【図２】
2017092434.tif 000004
【図３】
2017092434.tif 000005
【図４】
2017092434.tif 000006
【図５】
2017092434.tif 000007
【図６】
2017092434.tif 000008
【図７】
2017092434.tif 000009
【図８】
2017092434.tif 000010
【図９】
2017092434.tif 000011
【図１０】
2017092434.tif 000012
【図１１】
2017092434.tif 000013
【図１２】
2017092434.tif 000014
【図１３】
2017092434.tif 000015
【図１４】
2017092434.tif 000016
【図１５】
2017092434.tif 000017